(57)【要約】【課題】第１及び第２吸着熱交換器（51,52）で調湿された空気を室内へ供給する調湿運転を行う調湿装置（10）において、調湿運転停止中であっても室内空気を快適な状態に保つようにする。【解決手段】調湿運転を停止する調湿停止信号を受けると、室外空気の調湿を停止して室内へ供給すると同時に室内空気の調湿を停止して室外へ排出する換気運転を自動的に開始させ、調湿運転を開始する調湿開始信号を受けると、換気運転を停止させるコントローラ（60）を設ける。【選択図】図３
2009109146.tif 000002
【特許請求の範囲】
【請求項１】
吸着剤が担持された吸着部材（51,52）と、該吸着部材（51,52）を加熱又は冷却する温度調節機構（50）と、該吸着部材（51,52）及び該温度調節機構（50）を収納するケーシング（11）とを有し、上記ケーシング（11）内に取り込んだ空気を該吸着剤に接触させて調湿し、調湿後の空気を室内へ供給する調湿運転と、室外空気の調湿を停止して室内へ供給すると同時に室内空気の調湿を停止して室外へ排出する換気運転とが可能な調湿装置であって、
上記調湿運転を停止する調湿停止信号を受けると、上記換気運転を自動的に開始させ、上記調湿運転を開始する調湿開始信号を受けると、上記換気運転を停止させる制御手段（60）を備えていることを特徴とする調湿装置。
【請求項２】
請求項１において、
表面に吸着剤が担持された吸着熱交換器を接続して冷凍サイクルを行う冷媒回路を備え、
上記吸着部材（51,52）は上記吸着熱交換器（51,52）により構成され、上記温度調節機構（50）は上記冷媒回路（50）により構成されていることを特徴とする調湿装置。
【請求項３】
請求項１又は２において、
使用者が操作する操作部（62）を備え、
上記操作部（62）から上記制御手段（60）に向かって上記調湿停止信号又は調湿開始信号が出力されるように、上記操作部（62）と上記制御手段（60）とが接続されていることを特徴とする調湿装置。
【請求項４】
請求項１から３の何れか一つにおいて、
上記制御手段（60）は、室内温度を検知する室内温度検知手段（96b）と、室外温度を検知する室外温度検知手段（97b）と、室外空気を室内へ供給する給気ファン（26）及び室内空気を室外へ排出する排気ファン（25）の各風量を調整する風量調節部（61）とを備え、
上記換気運転中に、上記室内温度検知手段（96b）で検知された室内温度が、上記室外温度検知手段（97b）で検知された室外温度よりも高くなると、給気ファン（26）及び排気ファン（25）の各風量を現在よりも増加させるように風量調節部（61）を制御することを特徴とする調湿装置。
【請求項５】
請求項４において、
上記制御手段（60）は、室内設定温度が入力される入力部（63）を備え、
上記換気運転中に、上記室内温度検知手段（96b）で検知された室内温度が、上記入力部（63）で入力された室内設定温度よりも高くなると、給気ファン（26）及び排気ファン（25）の各風量を現在よりも増加させるように風量調節部（61）を制御することを特徴とする調湿装置。
【発明の詳細な説明】
【技術分野】
【０００１】
本発明は、吸着部材で調湿された空気を室内へ供給する調湿装置に関するものである。
【背景技術】
【０００２】
従来より、室外空気や室内空気を調湿し、調湿後の空気を室内へ供給する調湿装置が知られている。この種の調湿装置として、特許文献１には、吸着剤が担持された吸着熱交換器（吸着部材）を備えた調湿装置が開示されている。
【０００３】
特許文献１の調湿装置は、冷媒が循環して冷凍サイクルが行われる冷媒回路を有している。冷媒回路には、圧縮機と、第１吸着熱交換器と、第２吸着熱交換器と、膨張弁と、四方切換弁とが接続されている。圧縮機は、ケーシング内の所定の収容室に設けられている。また、第１吸着熱交換器と第２吸着熱交換器とは、ケーシング内の第１熱交換器室及び第２吸着熱交換器室にそれぞれ設けられている。
【０００４】
冷媒回路では、四方切換弁の設定に応じて冷媒の循環方向が可逆に切り換え可能となっている。具体的に、冷媒回路では、四方切換弁の設定が所定時間おきに切り換わることで、第１吸着熱交換器を高圧冷媒が流れて第２吸着熱交換器を低圧冷媒が流れる第１の動作と、第１吸着熱交換器を低圧冷媒が流れて第２吸着熱交換器を高圧冷媒が流れる動作とが交互に行われる。
【０００５】
低圧冷媒が流れる方の吸着熱交換器（蒸発器）では、吸着剤が冷却されるとともに、吸着剤に空気中の水分が吸着される。高圧冷媒が流れる方の吸着熱交換器（凝縮器若しくは放熱器）では、吸着剤が加熱されるとともに、水分が吸着剤から脱離して空気に付与される。このように、各吸着熱交換器では、四方切換弁の切り換えに伴い、水分を吸着する動作（吸着動作）と水分を脱離する動作（再生動作）とが交互に行われる。
【０００６】
この調湿装置は、各吸着熱交換器に担持された吸着剤に接触した空気の一方を室内へ供給して他方を室外へ排出する。例えば、調湿運転中の調湿装置では、第１及び第２の吸着熱交換器のうち蒸発器として動作する方を通過した空気が室内へ供給されて、凝縮器として動作する方を通過した空気が室外へ排出されるように、ケーシング内での空気の流通経路が設定される。この調湿装置では、このような空気の流通経路を複数のダンパの開閉動作によって切り換えるようにしている。
【特許文献１】特開２００５−２９１５３２号公報
【発明の開示】
【発明が解決しようとする課題】
【０００７】
しかしながら、上記調湿装置において、調湿運転中は、室外空気や室内空気を調湿し、調湿後の空気を室内へ供給することができるが、調湿運転の停止後における室内状態については何ら考慮されていない。一方、気密性の高いオフィスビル等の建物では、ハウスダストや建築材料から発散されるホルムアルデヒド等を排除して、室内空気を快適な状態にしたいという要望がある。
【０００８】
本発明は、かかる点に鑑みてなされたものであり、その目的は、吸着部材で調湿された空気を室内へ供給する調湿運転を行う調湿装置において、調湿運転停止中であっても室内空気を快適な状態に保つことにある。
【課題を解決するための手段】
【０００９】
第１の発明は、吸着剤が担持された吸着部材（51,52）と、該吸着部材（51,52）を加熱又は冷却する温度調節機構（50）と、該吸着部材（51,52）及び該温度調節機構（50）を収納するケーシング（11）とを有し、上記ケーシング（11）内に取り込んだ空気を該吸着剤に接触させて調湿し、調湿後の空気を室内へ供給する調湿運転と、室外空気の調湿を停止して室内へ供給すると同時に室内空気の調湿を停止して室外へ排出する換気運転とが可能な調湿装置を前提としている。
【００１０】
そして、上記調湿装置が調湿運転を停止する調湿停止信号を受けると、上記換気運転を自動的に開始させ、上記調湿運転を開始する調湿開始信号を受けると、上記換気運転を停止させる制御手段（60）を備えていることを特徴としている。ここで、上記換気運転において、空気の調湿を停止する場合には、上記吸着部材（51,52）をバイパスするように空気を流してもよい。
【００１１】
第１の発明では、上記制御手段（60）により、調湿運転の停止中は換気運転を行うように、上記調湿装置を制御することができる。したがって、調湿運転が停止した場合であっても、新鮮な室外の空気を室内へ供給すると同時に、室内の空気を室外へ排出することができる。
【００１２】
第２の発明は、第１の発明において、表面に吸着剤が担持された吸着熱交換器を接続して冷凍サイクルを行う冷媒回路を備え、上記吸着部材（51,52）は上記吸着熱交換器（51,52）により構成され、上記温度調節機構（50）は上記冷媒回路（50）により構成されていることを特徴としている。
【００１３】
第２の発明では、上記冷媒回路（50）の冷媒で吸着熱交換器（51,52）の加熱又は冷却を行い、上記ケーシング（11）内に取り込んだ空気を吸着剤に接触させて調湿を行うように構成された調湿装置において、上記制御手段（60）により、調湿運転の停止中は換気運転を行うように制御することができる。
【００１４】
第３の発明は、第１又は第２の発明において、使用者が操作する操作部（62）を備え、  上記操作部（62）から上記制御手段（60）に向かって上記調湿停止信号又は調湿開始信号が出力されるように、上記操作部（62）と上記制御手段（60）とが接続されていることを特徴としている。
【００１５】
第３の発明では、使用者の操作によって、上記調湿運転が停止した場合でも、上記換気運転を行うようにできる。例えば、使用者が調湿運転を停止して、室内から出て行った場合でも、新鮮な室外の空気を室内へ供給すると同時に、室内の空気を室外へ排出することができる。
【００１６】
第４の発明は、第１から第３の何れか一つの発明において、上記制御手段（60）は、室内温度を検知する室内温度検知手段（96b）と、室外温度を検知する室外温度検知手段（97b）と、室外空気を室内へ供給する給気ファン（26）及び室内空気を室外へ排出する排気ファン（25）の各風量を調整する風量調節部（61）とを備え、上記換気運転中に、上記室内温度検知手段（96b）で検知された室内温度が、上記室外温度検知手段（97b）で検知された室外温度よりも高くなると、給気ファン（26）及び排気ファン（25）の各風量を現在よりも増加させるように風量調節部（61）を制御することを特徴としている。
【００１７】
第４の発明では、上記換気運転中において、室内の温度が室外の温度よりも高い場合には、給気ファン（26）及び排気ファン（25）の各風量を増加させることにより、各ファン（25,26）の風量を増加させない場合に比べて、室外の空気を多く室内へ供給することができる。これにより、各ファン（25,26）の風量を増加させない場合に比べて、室外の温度の範囲内で早く室内の温度を下げることができる。
【００１８】
第５の発明は、第４の発明において、上記制御手段（60）は、室内設定温度が入力される入力部（63）を備え、上記換気運転中に、上記室内温度検知手段（96b）で検知された室内温度が、上記入力部（63）で入力された室内設定温度よりも高くなると、給気ファン（26）及び排気ファン（25）の各風量を現在よりも増加させるように風量調節部（61）を制御することを特徴としている。
【００１９】
第５の発明では、換気運転中において、第４の発明とは違い、室内の温度が室外の温度より高くても、室内の温度が室内設定温度以下の場合には、各ファン（25,26）の風量が増加しないようにすることができる。したがって、室内の温度を室内設定温度の近傍に保つことができる。
【発明の効果】
【００２０】
本発明によれば、上記制御手段（60）により、調湿運転の停止中は換気運転を行うように、上記調湿装置（10）を制御することができる。したがって、調湿運転が停止した場合であっても、新鮮な室外の空気を室内へ供給すると同時に、室内の空気を室外へ排出することができ、室内空気を快適な状態に保つことができる。
【００２１】
また、上記第２の発明によれば、上記冷媒回路（50）の冷媒で吸着熱交換器の加熱又は冷却を行い、上記ケーシング（11）内に取り込んだ空気を吸着剤に接触させて調湿を行うように構成された調湿装置において、上記制御手段（60）により、調湿運転の停止中は換気運転を行うように制御することができる。したがって、調湿運転が停止した場合であっても、室内空気を快適な状態に保つことができる。
【００２２】
また、上記第３の発明によれば、使用者の操作によって、上記調湿運転が停止した場合でも、上記換気運転を行うようにできる。したがって、使用者が調湿運転を停止して、室内から出て行った場合でも、新鮮な室外の空気を室内へ供給すると同時に、室内の空気を室外へ排出することができ、室内空気を快適な状態に保つことができる。
【００２３】
また、上記第４の発明によれば、上記換気運転中において、室内の温度が室外の温度よりも高い場合には、給気ファン（26）及び排気ファン（25）の各風量を増加させることにより、各ファン（25,26）の風量を増加させない場合に比べて、室外の温度の範囲内で早く室内の温度を下げることができる。したがって、換気により室内空気を快適な状態に保つと同時に、室内の温度調整も室外の温度の範囲内で行うことができる。
【００２４】
また、上記第５の発明によれば、第４の発明とは違い、室内の温度が室外の温度より高くても、室内の温度が室内設定温度以下の場合には、各ファン（25,26）の風量が増加しないようにすることができる。したがって、換気により室内空気を快適な状態に保つと同時に、室内の温度を室内設定温度の近傍に保つことができる。
【発明を実施するための最良の形態】
【００２５】
以下、本発明の実施形態を図面に基づいて詳細に説明する。
【００２６】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２７】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２８】
調湿装置（10）は、ケーシング（11）を備えている。また、ケーシング（11）内には、冷媒回路（温度調節機構）（50）が収容されている。この冷媒回路（50）には、第１吸着熱交換器（第１吸着部材）（51）、第２吸着熱交換器（第２吸着部材）（52）、圧縮機（53）、電動膨張弁（55）及び四方切換弁（54）が接続されている。冷媒回路（50）の詳細は後述する。
【００２９】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００３０】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３１】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３２】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３３】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３４】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３５】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96a）と内気温度センサ（室内温度検知手段）（96b）とが設置されている。外気側通路（34）は、外気吸込口（24）に接続するダクトを介して室外空間と連通している。外気側通路（34）には、外気側フィルタ（28）と外気湿度センサ（室外温度検知手段）（97a）と外気温度センサ（97b）とが設置されている。
【００３６】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００３７】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３８】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３９】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００４０】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００４１】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４２】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）であり、ファンの回転数は、各ファン（25,26）に接続された風量調節部（61）により可変可能に構成されている。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４３】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４４】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４５】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４６】
これら給気側通路（31）、内気側通路（32）、排気側通路（33）、外気側通路（34）、第１バイパス通路（81）及び第２バイパス通路（82）が空気通路を構成する。また、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、第２排気側ダンパ（48）、第１バイパス用ダンパ（83）及び第２バイパス用ダンパ（84）が開閉ダンパを構成する。
【００４７】
なお、図２の右側面図及び左側面図では、第１バイパス通路（81）、第２バイパス通路（82）、第１バイパス用ダンパ（83）、及び第２バイパス用ダンパ（84）の図示を省略している。
【００４８】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４９】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００５０】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００５１】
圧縮機（53）は、冷媒を圧縮する圧縮機構と、圧縮機構を駆動する電動機とが１つのケーシングに収容された全密閉型の圧縮である。圧縮機（53）の電動機へ供給する交流の周波数（即ち、圧縮機（53）の運転周波数）を変化させると、電動機により駆動される圧縮機構の回転速度が変化し、単位時間当たりに圧縮機（53）から吐出される冷媒の量が変化する。つまり、この圧縮機（53）は、容量可変に構成されている。
【００５２】
冷媒回路（50）において、圧縮機（53）の吐出側と四方切換弁（54）の第１のポートとを繋ぐ配管には、高圧圧力センサ（91）と吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５３】
また、冷媒回路（50）において、圧縮機（53）の吸入側と四方切換弁（54）の第２のポートとを繋ぐ配管には、低圧圧力センサ（92）と吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５４】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５５】
〈コントローラの構成〉
調湿装置（10）には、図３に示すように、該調湿装置（10）の運転制御を行うコントローラ（制御手段）（60）が設けられている。図１及び図２では省略されているが、ケーシング（11）の前面パネル部（12）には電装品箱が取り付けられており、この電装品箱に収容された制御基板がコントローラ（60）を構成している。
【００５６】
コントローラ（60）には、内気湿度センサ（96a）、内気温度センサ（96b）、外気湿度センサ（97a）、及び外気温度センサ（97b）の計測値が入力されている。また、コントローラ（60）には、冷媒回路（50）に設けられた各センサ（91,92,…）の計測値が入力されている。さらに、コントローラ（60）には、ユーザが操作するリモコン（操作部）（62）から出力される操作信号が入力されている。この操作信号は、上記調湿運転停止信号と上記調湿運転開始信号を含む構成である。又、コントローラ（60）には、ユーザが室内設定温度Ｔｓｅｔｄを入力するための入力部（63）が設けられている。
【００５７】
コントローラ（60）は、入力されたこれら操作信号及び計測値に基づいて、調湿装置（10）の運転制御を行う。具体的には、コントローラ（60）は、各ダンパ（41〜48,83,84）、各ファン（25,26）、圧縮機（53）、電動膨張弁（55）、及び四方切換弁（54）の動作を制御する。
【００５８】
さらに詳しく説明すると、コントローラ（60）は、後述する除湿運転及び加湿運転の何れかを実行する通常調湿運転モードと、後述する２４時間換気運転及びナイトパージ運転の何れかを実行する停止時運転モードとを有していて、上記操作信号に応じて各モードを切り換える。尚、上記通常調湿運転モードにおいて調湿運転が行われ、上記停止時運転モードにおいて換気運転が行われるように構成されている。
【００５９】
具体的には、コントローラ（60）は、リモコン（62）から除湿運転又は加湿運転を実行すべき上記調湿運転開始信号が入力されると、通常調湿運転モードに移行して、該操作信号に応じた除湿運転又は加湿運転を実行する。
【００６０】
そして、コントローラ（60）は、リモコン（62）から除湿運転又は加湿運転を停止すべき操作信号（以下、通常停止信号（調湿運転停止信号）という）が入力されると、通常調湿運転モードから停止時運転モードに移行し、２４時間換気運転又はナイトパージ運転を実行する。停止時運転モードにおいて２４時間換気運転及びナイトパージ運転の何れを実行するかについては後述する。
【００６１】
尚、上記リモコン（62）は、上記通常停止信号を出力していない時には、調湿運転開始信号が出力するように構成されている。
【００６２】
−通常調湿運転モード−
通常調湿運転モードにおいては、コントローラ（60）は、リモコン（62）から入力される操作信号に応じて、以下の除湿運転及び加湿運転の何れかを選択的に行う。
【００６３】
〈除湿運転〉
除湿運転中の調湿装置（10）では、後述する第１通常動作と第２通常動作が所定の時間間隔（例えば３〜４分間隔）で交互に繰り返される。この除湿運転中において、第１バイパス用ダンパ（83）及び第２バイパス用ダンパ（84）は、常に閉状態となる。
【００６４】
除湿運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６５】
先ず、除湿運転の第１通常動作について説明する。図４に示すように、この第１通常動作中には、第１内気側ダンパ（41）、第１外気側ダンパ（43）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１通常動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６６】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６７】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６８】
次に、除湿運転の第２通常動作について説明する。図５に示すように、この第２通常動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２通常動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６９】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００７０】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００７１】
〈加湿運転〉
加湿運転中の調湿装置（10）では、後述する第１通常動作と第２通常動作が所定の時間間隔（例えば３〜４分間隔）で交互に繰り返される。この加湿運転中において、第１バイパス用ダンパ（83）及び第２バイパス用ダンパ（84）は、常に閉状態となる。
【００７２】
加湿運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００７３】
先ず、加湿運転の第１通常動作について説明する。図６に示すように、この第１通常動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１通常動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７４】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７５】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７６】
次に、加湿運転の第２通常動作について説明する。図７に示すように、この第２通常動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２通常動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７９】
−停止時運転モード−
コントローラ（60）は、通常調湿運転モードにおける除湿運転又は加湿運転を停止するための通常停止信号がリモコン（62）から入力されると、基本的には、以下の２４時間換気運転を行う。ただし、通常停止信号が入力された際に、後述する所定の条件が成立しているときには、以下のナイトパージ運転を行う。
【００８０】
ここで、２４時間換気運転とナイトパージ運転との違いは、給気ファン（26）及び排気ファン（25）に対して設定される回転周波数が異なる点である。具体的には、ナイトパージ運転中の給気ファン（26）及び排気ファン（25）の回転周波数（第２設定値ｎ２）は、２４時間換気運転中の給気ファン（26）及び排気ファン（25）の回転周波数（第１設定値ｎ１）よりも高い周波数に設定される。
【００８１】
〈２４時間換気運転〉
２４時間換気運転中の調湿装置（10）は、取り込んだ室外空気（OA）を供給空気（SA）として室内へ供給すると同時に、取り込んだ室内空気（RA）を排出空気（EA）として室外へ排出する。ここでは、２４時間換気運転中の調湿装置（10）の動作について、図８を参照しながら説明する。
【００８２】
２４時間換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、２４時間換気運転中において、冷媒回路（50）の圧縮機（53）は停止状態となる。
【００８３】
２４時間換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００８４】
また、２４時間換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００８５】
〈ナイトパージ運転〉
ナイトパージ運転中の調湿装置（10）は、２４時間換気運転と同様に、取り込んだ室外空気（OA）を供給空気（SA）として室内へ供給すると同時に、取り込んだ室内空気（RA）を排出空気（EA）として室外へ排出する。ナイトパージ運転中の調湿装置（10）のダンパ動作及び圧縮機（53）の運転状態については、２４時間換気運転と同様のため省略する。
【００８６】
上記調湿装置（10）に対して、リモコン（62）から通常停止信号が入力されると、上記コントローラ（60）は、上述したように、上記通常調湿運転モードから上記停止時運転モードへ切り換わる。以下に、停止時運転モード中にコントローラ（60）が行う制御動作について、図９のフロー図を参照しながら説明する。
【００８７】
停止時運転モードがスタートすると、ステップＳＴ１において、２４時間換気タイマＴｋがスタートする。次に、ステップＳＴ２において、上述したように、冷媒回路（50）の圧縮機（53）は停止状態となり、第１バイパス用ダンパ（83）及び第２バイパス用ダンパ（84）が開状態となり、それ以外のダンパ（41〜48）は閉状態となる。これにより、第１及び第２吸着熱交換器（51,52）をバイパスする通路が形成される。
【００８８】
次に、ステップＳＴ３において、上記コントローラ（60）に通常停止信号が入力されているか否か判定する。上記通常停止信号の入力が継続していれば、ステップＳＴ４に移り、そうでなければ、ステップＳＴ１１に移る。このステップＳＴ１１では２４時間換気タイマＴkがリセットされる。そして、上記２４時間換気運転が終了して、上記停止時運転モードから上記通常調湿運転モードへ切り換わる。一方、ステップＳＴ４では、給気ファン（26）及び排気ファン（25）の回転周波数が、第１設定値ｎ１に設定される。ここで、２４時間換気運転が実質的に開始される。
【００８９】
次に、ステップＳＴ５において、第１、２、３の条件が全て成立しているか否かが判定される。ここで、第１条件とは、２４時間換気タイマＴｋが予め設定された第１設定時間Ｔ１を経過しているか否かである。第２条件とは、室内温度Ｔｒが予め設定された室内設定温度Ｔｓｅｔｄに温度αを加えた温度よりも高いか否かである。第３条件とは、室内温度Ｔｒが外気温度Ｔｏよりも高いか否かである。
【００９０】
この第１、２、３の条件が全て成立していればステップＳＴ６に移り、そうでなければステップＳＴ３に戻る。そして、ステップＳＴ３において上記通常停止信号が入力されていないか、又はステップＳＴ５の条件が成立するまで、２４時間換気運転が継続する。
【００９１】
ステップＳＴ６では、ナイトパージタイマＴｎｐがスタートする。次に、ステップＳＴ７において、上記コントローラ（60）に通常停止信号が入力されているか否か判定する。上記通常停止信号の入力が継続していれば、ステップＳＴ８に移り、そうでなければ、ステップＳＴ１１に移る。一方、ステップＳＴ８では、給気ファン（26）及び排気ファン（25）の回転周波数が、第２設定値ｎ２に設定される。ここで、ナイトパージ運転が実質的に開始される。
【００９２】
次に、ステップＳＴ９において、第４、５、６の条件のうち、第４と第５の条件又は第４と第６の条件が成立しているか否かが判定される。ここで、第４条件とは、ナイトパージタイマＴｎｐが予め設定された第２設定時間Ｔ２を経過しているか否かである。第５の条件とは、室内温度Ｔｒが室内設定温度Ｔｓｅｔｄ以下であるか否かである。第６の条件とは、室内温度Ｔｒが外気温度Ｔｏ以下であるか否かである。
【００９３】
この第４、５、６の条件のうち、第４と第５の条件又は第４と第６の条件が成立していれば、ステップＳＴ１０に移り、そうでなければ、ステップＳＴ７に戻る。そして、ステップＳＴ７において上記通常停止信号が入力されていないか、又はステップＳＴ９の条件が成立するまで、ナイトパージ運転が継続する。
【００９４】
ステップＳＴ１０では、ナイトパージタイマＴｎｐがリセットされる。その後にステップＳＴ３に戻る。そして、ステップＳＴ３において上記通常停止信号の入力が継続されていれば、ステップＳＴ４において、給気ファン（26）及び排気ファン（25）の回転周波数が、第２設定値ｎ２から第１設定値ｎ１へ設定され、ナイトパージ運転から２４時間換気運転に切り換わる。
【００９５】
尚、２４時間換気運転時の給気ファン（26）及び排気ファン（25）は、互いに同一の回転周波数（第１設定値ｎ１）に設定したものとして説明しているが、給気ファン（26）が配置された第１バイパス通路（81）の通風抵抗、及び排気ファン（25）が配置された第２バイパス通路（82）の通風抵抗を考慮して、各バイパス通路（81,82）の通風量が同じになるように互いに異なる値に設定してもよい。
【００９６】
又、ナイトパージ運転時の給気ファン（26）及び排気ファン（25）は、互いに同一の回転周波数（第２設定値ｎ２）に設定したものとして説明しているが、給気ファン（26）が配置された第１バイパス通路（81）の通風抵抗を考慮して、各バイパス通路（81,82）の通風量が同じになるように互いに異なる値に設定してもよい。
【００９７】
−実施形態の効果−
本実施形態によれば、上記コントローラ（60）により、調湿運転の停止中は換気運転を行うように、上記調湿装置（10）を制御することができる。したがって、調湿運転が停止した場合であっても、新鮮な室外の空気を室内へ供給すると同時に、室内の空気を室外へ排出することができ、室内空気を快適な状態に保つことができる。
【００９８】
また、本実施形態によれば、使用者のリモコン操作によって、上記調湿運転が停止した場合でも、上記換気運転を行うようにできる。したがって、使用者が調湿運転を停止して、室内から出て行った場合でも、新鮮な室外の空気を室内へ供給すると同時に、室内の空気を室外へ排出することができる。
【００９９】
また、本実施形態によれば、上記２４時間換気運転中において、室内温度Ｔｒが外気温度Ｔｏよりも高く、且つ室内温度Ｔｒが室内設定温度Ｔｓｅｔｄ＋αよりも高い場合には、上記ナイトパージ運転を行うことができる。このナイトパージ運転により、各ファン（25,26）の回転周波数は第１設定値ｎ１から第２設定値ｎ２へ増加するので、ナイトパージ運転を行わない場合に比べて、早く室内温度Ｔｒを室内設定温度Ｔｓｅｔｄに近づけることができる。
【０１００】
《その他の実施形態》
上記実施形態については、以下のような構成としてもよい。
【０１０１】
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１０２】
又、本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１０３】
又、本実施形態の調湿装置（10）では、第１吸着熱交換器（51）及び第２吸着熱交換器（52）にそれぞれ吸着剤が担持されているが、必ずしも吸着剤を担持させる必要はなく、各熱交換器に対応する吸着素子をそれぞれ個別に配置してもよい。この場合、凝縮器となる熱交換器の下流側に第１の吸着素子が配置され、蒸発器となる熱交換器の上流側に第２の吸着素子が配置されるようにする。
【０１０４】
なお、以上の実施形態は、本質的に好ましい例示であって、本発明、その適用物、あるいはその用途の範囲を制限することを意図するものではない。
【産業上の利用可能性】
【０１０５】
以上説明したように、本発明は、吸着部材で調湿された空気を室内へ供給する調湿装置について有用である。
【図面の簡単な説明】
【０１０６】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】除湿運転の第１通常動作における空気の流れを示す調湿装置の概略の平面図、右側面図、及び左側面図である。
【図５】除湿運転の第２通常動作における空気の流れを示す調湿装置の概略の平面図、右側面図、及び左側面図である。
【図６】加湿運転の第１通常動作における空気の流れを示す調湿装置の概略の平面図、右側面図、及び左側面図である。
【図７】加湿運転の第２通常動作における空気の流れを示す調湿装置の概略の平面図、右側面図、及び左側面図である。
【図８】２４時間換気運転及びナイトパージ運転における空気の流れを示す調湿装置の概略の平面図、右側面図、及び左側面図である。
【図９】停止時運転モード時の制御フロー図である。
【符号の説明】
【０１０７】
10     調湿装置
11     ケーシング
25     排気ファン
26     給気ファン
50     冷媒回路（温度調節機構）
51     第１吸着熱交換器（第１吸着部材）
52     第２吸着熱交換器（第２吸着部材）
54     四方切換弁（冷媒流路切換機構）
60     コントローラ（制御手段）
61     風量調節部
62     リモコン（操作部）
96b    内気温度センサ（室内温度検出手段）
97b    外気温度センサ（室外温度検出手段）
【図１】
2009109146.tif 000003
【図２】
2009109146.tif 000004
【図３】
2009109146.tif 000005
【図４】
2009109146.tif 000006
【図５】
2009109146.tif 000007
【図６】
2009109146.tif 000008
【図７】
2009109146.tif 000009
【図８】
2009109146.tif 000010
【図９】
2009109146.tif 000011